(57)【要約】      （修正有）【課題】放送受信装置で視聴中の放送が継続的に視聴或いは継続録画可能な機能を備えた放送受信装置あるいは携帯端末装置を提供する。【解決手段】放送局からの放送番組を受信する受信部と、放送番組の視聴に関する指示と該放送番組のチャンネル情報とを含む放送局情報を外部の装置へ送出する放送局情報送出部と、放送局情報の取得要求を受信する放送局情報取得要求受信部を備え、少なくとも受信放送局の変更、予め定められた時間間隔、装置電源の切断、または外部の装置から放送局情報送出の要求を放送局情報取得要求受信部が受信するかのいずれかの場合に前記放送局情報を送出する放送受信装置と、外部の装置から取得する放送局情報取得部と、取得した放送局情報に基づく処理を行う制御部とを備える。【選択図】図１
2005260848.tif 000002
【特許請求の範囲】
【請求項１】
放送局からの放送番組を受信する受信部と、
放送番組の視聴に関する指示と該放送番組のチャンネル情報とを含む放送局情報を外部の装置へ送出する放送局情報送出部と、
放送局情報の取得要求を受信する放送局情報取得要求受信部を備え、
少なくとも受信放送局の変更、予め定められた時間間隔、装置電源の切断、または外部の装置から放送局情報送出の要求を放送局情報取得要求受信部が受信するかのいずれかの場合に前記放送局情報を送出することを特徴とする放送受信装置。
【請求項２】
外部の装置からの放送局情報を取得する放送局情報取得部をさらに備え、
外部の装置から放送局情報を取得した場合に、該放送局情報のチャンネル情報に基づいて放送番組を選択し、該放送局情報の指示に基づいて視聴を行うかあるいは行わないことを特徴とする請求項１記載の放送受信装置。
【請求項３】
放送番組を記録する記録部と、
記録した放送番組を再生する再生部とをさらに備え、
外部の装置から放送局情報を取得した場合に、該放送局情報のチャンネル情報に基づいて放映中あるいは記録された放送番組を選択し、該放送局情報の指示に基づいて記録あるいは再生を行うかあるいは行わないことを特徴とする請求項２記載の放送受信装置。
【請求項４】
前記放送局情報の視聴に関する指示は、少なくとも放送番組の音声化、映像化、記録および記録された番組の再生のいずれか１つを含み、
放送局情報を取得した場合、前記指示に応じて音声化、映像化、記録および記録された番組の再生を行うかあるいは行わない請求項１あるいは２〜３の何れか１つに記載の放送受信装置。
【請求項５】
放送局からの放送番組を受信する受信部と、
放送番組の視聴に関する指示と該放送番組のチャンネル情報とを含む放送局情報を外部の装置から取得する放送局情報取得部と、
取得した放送局情報に基づく処理を行う制御部とを備え、
制御部は、外部の装置から放送局情報を取得した場合に該放送局情報のチャンネル情報に基づいて放送番組を選択し、該放送局情報の指示に基づいて視聴を行うかあるいは行わないことを特徴とする携帯端末装置。
【請求項６】
前記携帯端末装置は、電源充電装置に着脱可能であり、
電源充電装置から携帯端末装置が取外されたことを検知する取外し検知部と、
放送局情報取得の指示を入力する取得指示入力部と、
外部の装置に対して放送局情報の送出を要求する放送局情報送出要求部とをさらに備え、
少なくとも、電源充電装置からの取外しが検知されるか、または取得指示入力部からの指示があった場合に外部の装置へ放送局情報送出を要求することを特徴とする請求項５記載の携帯端末装置。
【請求項７】
電源充電装置に携帯端末装置が装着されたことを検知する装着検知部と、
放送局情報送出の指示を入力する送出指示入力部と、
外部の装置に対して放送局情報の取得を要求する放送局情報取得要求部と、
放送局情報を外部の装置へ送出する放送局情報送出部とをさらに備え、
少なくとも、電源充電装置への装着が検知されるか、または送出指示入力部からの指示があった場合に外部の装置へ放送局情報取得要求を送出し、外部の装置からの応答に基づいて放送局情報を送出することを特徴とする請求項６記載の携帯端末装置。
【請求項８】
放送番組を記録する記録部と、
記録した放送番組を再生する再生部とをさらに備え、
制御部が、外部の装置から放送局情報を取得した場合に、該放送局情報のチャンネル情報に基づいて放映中あるいは記録された放送番組を選択し、該放送局情報の指示に基づいて記録あるいは再生を行うかあるいは行わないことを特徴とする請求項５〜７の何れか１つに記載の携帯端末装置。
【請求項９】
前記放送局情報の視聴に関する指示は、少なくとも放送番組の音声化、映像化、記録および記録された番組の再生のいずれか１つを含み、
放送局情報を取得した場合、前記指示に応じて音声化、映像化、記録および記録された番組の再生を行うかあるいは行わない請求項５〜８の何れか１つに記載の携帯端末装置。
【発明の詳細な説明】
【技術分野】
【０００１】
この発明は、放送受信装置または携帯端末装置に関し、より詳細には番組の連続視聴を可能とする機能を備えた放送受信装置または携帯端末装置に関する。
【背景技術】
【０００２】
近年、地上波ディジタル放送サービス、携帯端末向けのモバイル放送サービスがなどの新しい放送サービスが具体化しつつある。更にこれらの放送サービスや従来のＴＶ放送電波を受信する受信装置において、新たな放送形態に準拠した受信機や、携帯電話上でＴＶ放送等の映像サービスを受信できる端末装置が商品化しつつある。
【０００３】
前記の放送サービスは、単に放送内容を送信するだけでなく放送番組内容や、新たなデータ伝送情報を附加して送信されている。しかし、いずれもこれからのサービスであり受信機の機能としてはこれらのサービスの送信アーキテクチャやプロトコルを踏まえた受信能力の適応化が中心であり、従来の据え置き型ＴＶや携帯型ＴＶとしての独立した機能向上の範疇である。異なった機器の間で相互にスムースな連動を実現することを目的とした機能を付加する分野にまでは、発展していない。
【０００４】
例えば、使用者が据置き型のＴＶ受信機において、放送の視聴をしているときに、視聴を中断せざるを得ない状況が発生した場合は、録画機能を有するＴＶ装置やビデオ装置で継続的に録画を行い、後刻、再生して視聴せざるを得ない。前記のように機器間を連動させることによって、携帯端末などによって連続的に番組が視聴できる機能が望まれている。
【０００５】
番組もしくは映像コンテンツの連続視聴に関して、いくつかの技術が知られている（例えば、特許文献１〜３参照）。
特許文献１は、ディジタル放送（ＭＰＥＧ−２）に関するものである。この技術は、ディジタル放送受信機において、当該ディジタル放送の受信中の番組の周波数、番組番号及びＰＭＴ（Ｐｒｏｇｒａｍ  Ｍａｐ  Ｔａｂｌｅ  ）のＰＩＤ（Ｐａｃｋｅｔ  ＩＤ  ）等の受信情報を記憶部に記憶し受信終了後もその記憶を保持する仕組みを有し、受信が中断しても視聴していた番組の受信情報によって連続視聴したい番組を再現するものである。
特許文献２は、映像ディスクにおける連続視聴に関するものである。この技術は、再生途中の録画媒体を他の再生装置において視聴する際、継続視聴が困難であったが、これを解決、連続した再生を可能とする仕組みを開示したものである。
特許文献３は、テレビ放送の視聴中に電話がかかってきた時の対処に関するものである。この技術は、電話呼出音を検知すると、放送受信装置の音声抑制、番組録画を自動的に行うものである。これにより、電話によって番組の視聴が中断されても、電話が終わった後に再開することが可能となる。
【特許文献１】特開平１１−３０８５８０号公報
【特許文献２】特開２００３−１１５１８６号公報
【特許文献３】特開２００２−２４７４９０号公報
【発明の開示】
【発明が解決しようとする課題】
【０００６】
前述のように、視聴が中断された場合、異なった機器間で連続録画や連続視聴をスムースに移行できるものがなく、利用者が、中断発生時点で継続的な視聴をするために、ビデオへの録画やその他の記録媒体への記憶のために幾ステップからなる記録準備のための操作を行う必要があった。又、異なった機器間での継続利用も記録媒体の移動に基づいたバッチ処理的な継続再生であり、しかも、いずれにおいても、特別な操作をせざるを得ない制約があった。
【０００７】
すなわち、特許文献１に開示された技術は、装置で視聴していた番組の受信情報を記憶しておき中断されても同じ番組を視聴できる仕組みに関する技術であり、異なった装置において視聴を連続的に実現するものではない。
また、特許文献２に開示された技術は、録画ディスクの継続再生に関する技術であり、異なった装置間で放送の視聴継続や継続録画の実施を可能とするものではない。
特許文献３に開示された技術は、あくまでテレビ放送の視聴中に電話がかかってきた時の連続視聴に関する技術であり、異なった装置において視聴を連続的に実現するものではない。
【０００８】
前記のように、据置型の放送受信機と移動端末の間における放送の連続視聴については、これまでほとんど考慮されていない。受信装置で視聴中に視聴を中断せざるを得ないときに、放送信号を受信可能で視聴できるモニターを有する携帯端末装置を、例えば電源充電装置或いは、受信装置に結合したホルダーから取上げ携帯するだけで、据置型或いは大型等見易い受信装置での視聴が、携帯端末装置で連続して視聴出来るような機能が望まれている。
【０００９】
この発明は、このような事情を考慮してなされたもので、放送電波を受信可能な放送受信装置と携帯端末装置において、放送受信装置で視聴中の放送が継続的に視聴或いは継続録画可能な機能を備えた放送受信装置あるいは携帯端末装置を提供する。
【課題を解決するための手段】
【００１０】
この発明は、放送局からの放送番組を受信する受信部と、
放送番組の視聴に関する指示と該放送番組のチャンネル情報とを含む放送局情報を外部の装置へ送出する放送局情報送出部と、放送局情報の取得要求を受信する放送局情報取得要求受信部を備え、少なくとも受信放送局の変更、予め定められた時間間隔、装置電源の切断、または外部の装置から放送局情報送出の要求を放送局情報取得要求受信部が受信するかのいずれかの場合に前記放送局情報を送出する放送受信装置を提供する。
さらにこの発明は、放送局からの放送番組を受信する受信部と、放送番組の視聴に関する指示と該放送番組のチャンネル情報とを含む放送局情報を外部の装置から取得する放送局情報取得部と、取得した放送局情報に基づく処理を行う制御部とを備え、制御部は、外部の装置から放送局情報を取得した場合に該放送局情報のチャンネル情報に基づいて放送番組を選択し、該放送局情報の指示に基づいて視聴を行うかあるいは行わない携帯端末装置を提供するものである。
【発明の効果】
【００１１】
この発明の放送受信装置は、放送番組の視聴に関する指示と該放送番組のチャンネル情報とを含む放送局情報を外部の装置へ送出する放送局情報送出部とを備え、所定の場合に前記放送局情報を送出するので、視聴中の番組を継続視聴するための指示とチャンネル情報が視聴者の手を煩わせることなく外部の機器に対して送出されるという利点がある。
また、この発明の携帯端末装置は、制御部が、外部の装置から放送局情報を取得した場合に、該放送局情報のチャンネル情報に基づいて放送番組を選択し、該放送局情報の指示に基づいて視聴を行うかあるいは行わないので、取得したチャンネル情報と指示に基づいて視聴者の手を煩わせることなく番組を視聴することができる。
従って、前述の放送受信装置から送出された放送局情報を携帯端末装置で取得することにより、放送番組の継続視聴が視聴者の手を煩わせることなく自動的に行なわれる。
【発明を実施するための最良の形態】
【００１２】
この発明の放送受信装置は、放送局からの放送番組を受信する受信部と、放送番組の視聴に関する指示と該放送番組のチャンネル情報とを含む放送局情報を外部の装置へ送出する放送局情報送出部とを備える。
ここで、放送受信装置とは、放送を受信可能な装置であり、ＴＶや放送受信可能なパソコン、ＣＡＴＶ端末等に代表される。放送内容を録画できる装置を有するもの、有さないもの、外部記憶装置と接続してこの発明の放送受信装置を形成するものも含まれる。
【００１３】
また、前記放送受信装置は、外部の装置からの放送局情報を取得する放送局情報取得部をさらに備え、外部の装置から放送局情報を取得した場合に、該放送局情報のチャンネル情報に基づいて放送番組を選択し、該放送局情報の指示に基づいて視聴を行うかあるいは行わないように構成されてもよい。
このようにすれば、外部の装置から放送局情報を取得した場合に、放送局情報のチャンネル情報に基づいて処理を行うので、放送受信装置側で自動的に番組を選択して視聴を行うかあるいは行わないようにすることができる。
【００１４】
さらに、前記放送受信装置は、放送番組を記録する記録部と、記録した放送番組を再生する再生部とをさらに備え、外部の装置から放送局情報を取得した場合に、該放送局情報のチャンネル情報に基づいて放映中あるいは記録された放送番組を選択し、該放送局情報の指示に基づいて記録あるいは再生を行うかあるいは行わないように構成されてもよい。
また、前記放送局情報の視聴に関する指示は、少なくとも放送番組の音声化、映像化、記録および記録された番組の再生のいずれか１つを含み、前記放送受信装置が、放送局情報を取得した場合、前記指示に応じて音声化、映像化、記録および記録された番組の再生を行うかあるいは行わないように構成されてもよい。
【００１５】
また、この発明の携帯端末装置は、放送局からの放送番組を受信する受信部と、
放送番組の視聴に関する指示と該放送番組のチャンネル情報とを含む放送局情報を外部の装置から取得する放送局情報取得部とを備える。
ここで、携帯端末装置とは、携帯可能で放送を受信可能な装置であり、ディジタル又は、アナログのＴＶ電波を受信可能な携帯端末や携帯電話に代表される。放送内容を録画できる装置を有するもの、有さないもの、小型の携帯可能な外部記憶装置と接続してこの発明の放送受信装置を形成するものも含まれる。
【００１６】
前記携帯端末装置は、電源充電装置に着脱可能であり、電源充電装置から携帯端末装置が取外されたことを検知する取外し検知部と、放送局情報取得の指示を入力する取得指示入力部と、外部の装置に対して放送局情報の送出を要求する放送局情報送出要求部とをさらに備え、少なくとも、電源充電装置からの取外しが検知されるか、または取得指示入力部からの指示があった場合に外部の装置へ放送局情報送出を要求するように構成されてもよい。
こうすれば、電源充電装置からの取外しが検知されるか、または取得指示入力部からの指示があった場合に外部の装置へ放送局情報送出を要求するので、前記の場合に外部の装置から放送局情報が取得される。
【００１７】
また、前記携帯端末装置は、電源充電装置に携帯端末装置が装着されたことを検知する装着検知部と、放送局情報送出の指示を入力する送出指示入力部と、外部の装置に対して放送局情報の取得を要求する放送局情報取得要求部と、放送局情報を外部の装置へ送出する放送局情報送出部とをさらに備え、少なくとも、電源充電装置への装着が検知されるか、または送出指示入力部からの指示があった場合に外部の装置へ放送局情報取得要求を送出し、外部の装置からの応答に基づいて放送局情報を送出するようにしてもよい。
このようにすれば、電源充電装置への装着が検知されるか、または送出指示入力部からの指示があった場合に、自動的に外部の装置へ放送局情報が送出される。
【００１８】
前記携帯端末装置は、放送番組を記録する記録部と、記録した放送番組を再生する再生部とをさらに備え、制御部が、外部の装置から放送局情報を取得した場合に、該放送局情報のチャンネル情報に基づいて放映中あるいは記録された放送番組を選択し、該放送局情報の指示に基づいて記録あるいは再生を行うかあるいは行わないよう構成されてもよい。
このようにすれば、外部の装置から放送局情報を取得した場合に、該放送局情報のチャンネル情報に基づいて処理するので、携帯端末装置側で自動的に番組を選択して記録あるいは再生を行うかあるいは行わないようにすることができる。
【００１９】
また、前記放送局情報の視聴に関する指示は、少なくとも放送番組の音声化、映像化、記録および記録された番組の再生のいずれか１つを含み、前記携帯端末装置が、放送局情報を取得した場合、前記指示に応じて音声化、映像化、記録および記録された番組の再生を行うかあるいは行わないように構成されてもよい。
以下、図面に示す実施形態に基づいて、この発明を詳述する。なお、図中同一符号は、同一または相当部分を示す。
【００２０】
図１は、この発明による放送受信装置の構成の一例を示すブロック図である。ただし、この発明は、これによって制限されるものではなく、この発明の特徴を有するものであれば、図１に示す構成の一部のみを有するものであってもよく、あるいは図１に示されていない構成が付加されたものであってもよい。
【００２１】
放送受信装置１０は、アンテナ１ｅを経由して、ディジタルもしくはアナログ放送を放送受信部１１にて受信する。また、ネットワーク１ｆを経由してブロードバンド放送を受信するようにしてもよい。放送局情報生成部１２では、受信した放送を元に、図４で示すような放送局情報を生成する。放送局情報は、放送局チャンネル、番組名、開始時間／終了時間、視聴位置などの構成要素から成り立つが、これに限られず、少なくともチャンネルに関する情報を含む。
【００２２】
これらの構成要素のうち、放送局チャンネルは、チャンネル切替ボタン１８によって設定されたチャンネル番号を取得する。チャンネル切換ボタン１８は、チャンネルの切替だけでなく、装置本体の設定などを行えるように構成されていてもよい。また、チャンネル切替および装置の設定は、チャンネル切替ボタン１８だけでなく、遠隔操作用の外付けリモコンもしくは、後述の携帯端末装置２０によって行ってもよい。番組名、開始時間／終了時間は、上述の放送受信と併せて、アンテナ１ｅやネットワーク１ｆを通じ、番組表などの付加情報から得るようにする。タイマー１ａを用いることで、現在時刻の取得および放送をどこまで視聴したかを示す視聴位置を得る。これらの放送局情報は、ＲＡＭ１ｂに蓄積して利用する。
【００２３】
録画／再生部１３は、受信した放送データをデータ記憶部１ｃに記憶する録画部１３ａ、再生する再生部１３ｂ、によって、録画／再生を行う。放送内容の視聴や録画データの再生には、オーディオ出力部１４、スピーカー１５、映像出力部１６、モニター１７を用いる。記憶部１ｃはメモリやハードディスクなどを用いてもよい。また、録画／再生部１３を装置構成の中に持たない形態も考えられる。そのような形態の装置は、携帯端末装置等へ放送局情報が送出するのみで、自らは録画／再生をしない。
【００２４】
リモコン送受信部１ｄは、後述する携帯端末装置２０および、その他の装置との通信を行う。通信には、少なくとも５ｍ以内近傍の装置とのやり取りが行えることが好ましい。これには、赤外線や電波などを用いるとよい。リモコン送受信部１ｄを用いて、放送受信装置１０の制御や、放送番組録画受付モード／再生モードの設定のための制御信号を受信する。また、録画／再生部１３にて録画及び再生を行う場合には、携帯端末装置２０やその他の装置からの放送局情報の取得要求が放送局情報取得要求受信部１０４で検知されたら取得可能の応答を送出し、それに応答して携帯端末装置２０やその他の装置から送られてくる放送局情報を放送局情報取得部１０２で受信し、放送局情報を送出した装置が現在受信中の番組に関する前記放送局情報の取得を行う。逆に端末装置２０やその他の装置へ放送局情報を送出する場合は、放送局情報取得要求部１０７から放送局情報送出要求を送出する。
【００２５】
あるいは、放送局情報の取得要求が無くても、外部の装置から放送局情報の送出があれば放送局情報取得部１０２で放送局情報を取得する無手順の方法を用いてもよい。取得した放送局情報およびタイマー１ａにより、放送番組の終了時間を算定し、録画を終了する。更に携帯端末装置２０やその他の装置が送出する放送局情報送出要求を放送局情報取得要求受信部１０５で受信したら放送局情報送出部１０３から放送局情報を送出するようにし、それによって、放送受信装置１０で視聴していた放送番組を携帯端末装置２０や、外部の異なる装置において連続して視聴あるいは録画／再生することができる。
【００２６】
放送受信装置１０は、外部の装置から放送局情報取得要求があった場合、放送局情報が取得可能な状態にあれば、取得をするような構成であってもよい。前記装置が放送局情報を取得可能な状態とは、例えば、前記装置において優先する番組を受信中である場合には外部装置からの放送局情報の取得を許可しないようにする不許可設定が可能であって、しかも、その設定が不許可にされていない状態である。
【００２７】
放送受信装置１０から携帯端末装置２０への放送局情報送出に際しては、放送局情報取得要求部１０８により外部装置に放送局情報の取得要求を送出して外部装置にトリガをかけ、外部装置から取得可能の応答を受けたら放送局情報送出部１０３にて放送局情報の送出を行う。
あるいは、放送局情報の取得要求を送出しなくても、放送局情報送出部１０３から放送局情報を送出する無手順の方法を用いてもよい。放送局情報送出部１０３から放送局情報を送出するタイミングは、前述の放送局情報送出要求を受けた場合の他に、チャンネル切替ボタン１８によって放送局チャンネルの変更が行われた時、タイマー１ａによって所定の時間間隔が経過した時、もしくは放送受信装置の電源を切断を電源切断検知部１０６で検知した時であってもよい。また、携帯端末装置２０やその他の装置からの制御によって放送局情報を送出／取得するようにしてもよい。
ＣＰＵ部１９は、放送受信装置１０の前述のような各種処理及び制御を行うものであり、制御用メモリを含む。
【００２８】
図２は、この発明による携帯端末装置の構成を示すブロック図である。
ただし、この発明は、これによって制限されるものではなく、この発明の特徴を有するものであれば、図２に示す構成の一部のみを有するものであってもよく、あるいは図２に示されていない構成が付加されたものであってもよい。
【００２９】
携帯端末装置２０は、アンテナ（放送用）２ｅを経由して、ディジタルもしくはアナログ放送を放送受信部２１にて受信する。また、アンテナ（通信通話用）２ｆを経由してブロードバンド放送を受信するようにしてもよい。放送局情報生成部２２では、受信した放送を元に、図４で示すような放送局情報を生成する。放送局情報の構成要素のうち、放送局チャンネルは、入力ボタン２８によって設定されたチャンネル番号から取得する。番組名、開始時間／終了時間は、上述の放送受信と併せて、アンテナ２ｅやアンテナ２ｆを通じ、制御部であり、制御メモリを含むＣＰＵ部２９でデータ化された番組表などの付加情報から得るようにする。
タイマー２ａを用いることで、現在時刻の取得および放送をどこまで視聴したかを示す視聴位置を得る。これらの放送局情報は、ＲＡＭ２ｂに蓄積して利用する。
【００３０】
録画／再生部２３は、受信した放送データをデータ記憶部２ｃに録画部２３ａで録画したり、再生部２３ｂで再生することによって、録画／再生を行う。放送内容の視聴や録画データの再生には、オーディオ出力部２４、スピーカー２５、映像出力部２６、モニター２７を用いる。記憶部２ｃはメモリやハードディスクなどを用いてもよい。
【００３１】
リモコン送受信部２ｄは、放送受信装置１０および、その他の装置との通信を行う。通信は、少なくとも５ｍ以内近傍の装置とのやり取りが行えることが好ましい。これは、赤外線や電波などを用いた近距離における通信であることを意味する。リモコン送受信部２ｄおよび入力ボタン２８を用いて、放送受信装置１０の制御や、放送番組録画受付モード／再生モードの設定のための制御信号を送出する。携帯端末装置２０自身の制御や放送番組録画受付モード／再生モードの設定には、入力ボタン２８からの入力を行う。録画／再生部２３にて録画／再生を行う場合には、リモコン送受信部２ｄを経由して放送受信装置１０やその他の装置からの放送局情報を取得する。
【００３２】
放送局情報の取得に際して、放送局情報送出要求部２０１により、例えば、放送受信装置１０に放送局情報の送出要求を行い、放送受信装置１０から放送局情報が送出されたら、放送局情報取得部２０４にて放送局情報の取得を行う。取得した放送局情報の内容と携帯端末装置２０の設定が放送信号の映像化・音声化を示しておれば、映像・音声をモニター及びスピーカーにぞれぞれ再生し、放送受信装置１０の放送内容を携帯端末装置２０で継続的に視聴可能であるようにする。録画も同じく継続可能である。録画に際しては、放送局情報およびタイマー１ａにより、放送番組の終了時間を算定し、録画を終了する。
携帯端末装置２０が、送出されてくる放送局情報を取得可能な状態なら、放送局情報の送出要求をする事無く、無手順で放送局情報を取得するように構成してもよい。
【００３３】
また逆に、放送受信装置１０やその他の装置に対して放送局情報を送出することで、携帯端末装置２０から、異なる装置への放送の連続視聴や、録画／再生を行う。携帯端末装置２０からの放送局情報送出に際しては、放送局情報取得要求部２０２により外部装置に放送局情報の取得要求を送出して外部装置にトリガをかけ、放送局情報送出部２０３にて放送局情報の送出を行う。好ましくは、送出した放送局情報取得要求に対する応答が外部装置からあった後、放送局情報を送出してもよい。
【００３４】
放送局情報を送出するタイミングは、電源充電装置２ｊへの装着が装着検知部２０６により検知された時や、入力ボタン２８によって放送局チャンネルの変更が行われた時、タイマー２ａによって所定の時間間隔が経過した時、もしくは携帯端末装置２０にて放送視聴中に装置本体の電源を切断しようとした時である。逆に放送局情報を取得するタイミングは、電源充電装置２ｊからの携帯端末装置２０の切離しが、取外し検知部２０５で検知された時、携帯端末装置２０において放送局情報の送出を要求する所定の操作を行った時である。あるいは放送受信装置１０やその他の装置からの制御によって放送局情報を送出／取得してもよい。即ち、放送局情報送出要求受信部２０７で外部装置からの放送局情報送出要求を受けたり、放送局情報取得要求部２０８で外部装置からの放送局情報取得要求を受けたりした場合でもよい。
【００３５】
通信通話処理部２ｇは、携帯端末装置２０を電話やデータ通信の用途で用いるためものである。通信先の電話番号を設定する時は入力ボタン２８利用し、アンテナ（通信通話用）２ｆにより信号の送受信を行う。通話にはスピーカー２５、マイク２ｈを用いる。
【００３６】
充電供給部２ｉは、外部にて構成される電源充電装置２ｊから電源を供給し、充電を行うものである。これには、充電式のバッテリーなどを用いるとよい。また、充電供給部２ｉは、電源充電装置２ｊとの着脱に感応するセンサが内蔵されており取外し検知部２０５、装着検知部２０６と連動する構造になっている。又、上記センサが取外し検知部２０５、装着検知部２０６に含まれていてもよい。ＣＰＵ部２９は、以上述べてきたような、携帯端末装置の各種制御を行うものであり、制御用メモリを含む。
【００３７】
図３は、この発明による放送受信装置および携帯端末装置の組合せ例である。
図３（ａ）は放送受信装置１０と携帯端末装置２０との構成により、放送の連続視聴を行うものである。図３（ａ）では、放送受信装置１０のリモコンとして携帯端末装置２０を利用している。放送受信装置１０から携帯端末装置２０への放送局情報取得要求及び放送局情報の送出は、放送受信装置１０側のチャンネル切換ボタンあるいはリモコンとしての携帯端末装置２０の操作による受信放送局の変更がされた場合、放送受信装置１０の初期設定値または利用者が設定或いは選択した値の定期的な時間間隔がきた場合、放送受信装置１０の電源が切断された場合、詳細には、放送受信装置１０の装置電源が切れた際に切断を検知して全ての電源が落ちてしまう前に行われる処理の中で、あるいは携帯情報端末装置２０を含む外部の装置から受けた放送局情報の送出要求を放送受信装置１０が検知した場合の少なくと何れか１つの場合に行われる。
放送受信装置１０から放送局情報を取得することで、携帯端末２０において、これまで視聴していた放送を引き続き視聴することが可能となる。
【００３８】
図３（ｂ）は、放送受信装置１０、携帯端末装置２０および電源充電装置２ｊの構成により、放送の連続視聴を行うものである。ここでは、携帯端末装置２０を電源充電装置２ｊに着脱することで、放送受信装置１０との連携を行うようにしている。例えば、放送受信装置１０で放送を視聴している最中に、外出しなければならなくなった場合、携帯端末装置２０を電源充電装置２ｊから切離すと、携帯端末装置２０から放送受信装置１０へ放送局情報送出が要求され、これに応答して放送受信装置１０から携帯端末装置２０へ放送局情報が送出されて放送の続きを携帯端末装置で視聴することが可能となる。逆に、携帯端末装置２０を電源充電装置２ｊに装着すると、携帯端末装置２０から放送受信装置１０に対して放送局情報の取得が要求され、これに続いて携帯端末装置２０から放送受信装置１０へ放送局情報が送出される。これによって、帰宅した際に、それまで携帯端末２０で視聴していた放送の続きを放送受信装置１０で視聴することが可能となる。
【００３９】
図３（ｃ）は放送受信装置１０と携帯端末装置２０との構成により、放送の連続視聴を行うものであが、上述の図３（ａ）の更に進んだ利用例として、放送受信装置１０もしくは携帯端末装置２０において放送の録画／再生を行うものである。前述のように、取得した放送局情報によって録画をスタートさせるとともに放送番組の終了時間を得、タイマー１ａを起動して、録画終了の制御をする。視聴していた放送の続きを録画し、それを後から再生することで、外出の際などに中断した放送の内容を後から視聴することが可能となる。
【００４０】
図３（ｄ）は放送受信装置１０、携帯端末装置２０および電源充電装置２ｊの構成により、放送の連続視聴を行うものである。ここでは、上述の図３（ｂ）の更に進んだ利用例として、放送受信装置１０もしくは携帯端末装置２０において放送の録画／再生を行うものである。前述のように、取得した放送局情報によって録画をスタートさせるとともに放送番組の終了時間を得、タイマー１ａを起動して、録画終了の制御をする。視聴していた放送の続きを録画し、それを後から再生することで、外出の際などに中断した放送の内容を後から視聴することが可能となる。
【００４１】
図４は、この発明による放送局情報のデータ構造の一例である。上述のように、放送局情報は、放送局チャンネル、番組名、Ｇコード、開始時間／終了時間、視聴位置、録画チャンネル、再生チャンネル、即時放送指示、録画指示、再生指示、などの構成要素からなる。放送受信装置１０および携帯端末装置２０の間で通信を行う際、このようなデータ構造の情報がやり取りされる。
また、図１５は、継続視聴が放送受信装置１０と携帯端末装置２０との間で行われる場合を例に、双方の装置間で放送情報を送受する場合にやりとりされる通信の一例を示す説明図である。
【００４２】
（実施の形態１）
図６は、この発明の放送受信装置１０における放送局情報の送出処理の手順の一例を示すフローチャートである。まず、放送受信装置１０に対して、携帯端末装置２０等の外部装置から放送局情報の送出要求を受けたかどうかを判定する（Ｓｔｅｐ１０）。送出要求を受けた場合は、ルーチンはＳｔｅｐ１３へ進む。一方、送出要求がない場合、ルーチンはＳｔｅｐ１１へ進み、放送受信装置１０に対するリモコン制御により、受信放送局の変更があったかどうかを判定する。変更があった場合、ルーチンはＳｔｅｐ１３へ進む。一方、変更がない場合、ルーチンはＳｔｅｐ１２へ進み、タイマー１ａにより、一定時刻が経過したかどうかを検出する。これら、Ｓｔｅｐ１０〜１２の処理は、外部の装置に対して放送局情報を送出するかどうかを判定するための処理である。
【００４３】
前記のように、Ｓｔｅｐ１０〜１２の何れかの判定結果がｙｅｓの場合、ルーチンはＳｔｅｐ１３に進み、外部の装置へ放送局受信情報取得要求を送出する。そして、外部の装置が放送局情報の取得が可能な状態にあるかどうかを確認する（Ｓｔｅｐ１４）。外部の装置から、放送局情報の取得が可能な状態であるとの応答がれば、ルーチンはＳｔｅｐ１６へ進み放送局情報の送出を行う。その後、ルーチンはＳｔｅｐ１７へ進む。一方、外部の装置から放送局情報の取得が不可能であるか、または応答が検出されずに所定の時間が経過した場合、ルーチンはＳｔｅｐ１５へ進みリトライを行うかどうかを判定する。例えば、リトライの回数は一定回数の制限を設けており、これを超過した場合はリトライ不可と判断する。リトライ可能な場合は、ルーチンは１３へ進み、放送局情報取得要求を再度送信する。一方、リトライが不成立の場合、ルーチンはＳｔｅｐ１７へ進む。
【００４４】
Ｓｔｅｐ１７で、放送受信装置１０の電源が切断されようとしているかを判定する。切断されない場合、ルーチンはＳｔｅｐ１１へ進む。切断された場合、ルーチンはＳｔｅｐ１８へ進み、外部の装置へ放送局情報取得要求を送出する。その後、放送局情報の送出（Ｓｔｅｐ１８）、応答確認（Ｓｔｅｐ１９）、リトライ判定（Ｓｔｅｐ１ａ）及び放送局情報の送出（Ｓｔｅｐ１ｂ）を行う。これらの処理は、前述のＳｔｅｐ１３〜１６の処理と同様である。
放送受信装置１０で、番組の受信、録画あるいは再生中は、図６に示される前述の処理が定期的あるいは不定期に繰り返し実行される。
【００４５】
（実施の形態２）
図７は、この発明による携帯端末装置２０における放送局情報取得及び電源充電装置２ｊからの取り外し検知の手順の一例を示すフローチャートである。
まず、携帯端末装置２０への入力に基づき、外部の装置へ放送局情報の送出要求を送出すべき旨の示唆が発生しているか否かを判定する（Ｓｔｅｐ２１）。前記示唆とは、例えば、放送受信装置１０で視聴している放送の続きを録画する要求が携帯端末２０へ手動にて入力された場合である。
【００４６】
判定結果がｙｅｓの場合、ルーチンはＳｔｅｐ２３へ進み、外部の装置へ放送局情報の送出要求を行う。送出要求に対する応答が所定時間内になかったり、送出不可であったりした場合、所定時間待った後に再度外部の装置へ放送局情報の送信要求を行うことにより、リトライ処理を行う（Ｓｔｅｐ２３〜Ｓｔｅｐ２５）。リトライ回数は、一定回数の制限を設けておき、それを超過した場合はリトライ不成功として、ルーチンはＳｔｅｐ２７へ進む。一方、放送局情報取得要求を受信した場合、外部の装置に対して放送局情報取得可能を送出し、それに応答して外部の装置から放送局情報を受信する。これが放送局情報取得の処理である（Ｓｔｅｐ２６）。
【００４７】
一方、前記Ｓｔｅｐ２１の判定結果がｎｏの場合、ルーチンはＳｔｅｐ２２へ進み、外部から放送局情報取得要求の送出があるかどうかを判定する（Ｓｔｅｐ２２）。外部からの送出があれば、ルーチンはＳｔｅｐ２３へ進み、外部の装置へ放送局情報の送出要求を行う。送出要求に対する応答が所定時間内になかったり、送出不可であったりした場合、所定時間待った後に再度外部の装置へ放送局情報の送信要求を行うことにより、リトライ処理を行う（Ｓｔｅｐ２３〜Ｓｔｅｐ２５）。リトライ回数は、一定回数の制限を設けておき、それを超過した場合はリトライ不成功として、ルーチンはＳｔｅｐ２７へ進む。一方、放送局情報取得要求を受信した場合、放送局情報取得の処理を行う（Ｓｔｅｐ２６）。
【００４８】
放送局情報の取得後、あるいはリトライ不成功に終わった場合、ルーチンはＳｔｅｐ２７へ進む。そして、携帯端末装置２０が電源充電装置２ｊから切り離されたかどうかを判定する。携帯端末装置２０が切り離されていないと判定した場合、ルーチンは先頭のＳｔｅｐ２１へと進み、ループする。一方、携帯端末装置２０が切り離されたと判定した場合、ルーチンはＳｔｅｐ２８へ進み、外部の装置へ放送局情報の送出要求を行う。送出要求に対する応答が所定時間内になかったり、送出不可であったりした場合、所定時間待った後に再度外部の装置へ放送局情報の送信要求を行うことにより、リトライ処理を行う（Ｓｔｅｐ２８〜Ｓｔｅｐ２９、Ｓｔｅｐ２ａ）。リトライ回数は、一定回数の制限を設けておき、それを超過した場合はリトライ不成功として、ルーチンは終了する。一方、放送局情報取得要求を受信した場合、放送局情報取得の処理を行う（Ｓｔｅｐ２ｂ）。Ｓｔｅｐ２ｂの処理は、前述のＳｔｅｐ２６と同様である。放送局情報取得の終了によりルーチンは終了する。
【００４９】
尚、携帯端末装置２０の電源充電装置２ｊからの切離し判定を実施するかどうかは、携帯端末装置２０の状態、および設定に応じて選択可能であってもよい。この場合、例えば、前記Ｓｔｅｐ２７の前に電源充電装置２ｊからの切り離し判定の実施を行うかどうかを判断し、判定を実施する場合だけＳｔｅｐ２７以降のルーチンを実施するようにすればよい。更に、携帯端末装置２０が電源充電装置２ｊからの切り離された後は、携帯端末装置２０の充電は行われないが、電源充電装置２ｊから切り離されない場合、何時充電を止めるかは、前述の処理と別に判断するものとする。
携帯端末装置２０で番組を受信、録画あるいは再生していない場合に、図７に示される前述の処理が定期的あるいは不定期に繰り返し実行される。
【００５０】
（実施の形態３）
図８は、この発明による携帯端末装置２０の放送局情報取得及び電源充電装置２ｊへの装着、充電完了判定の手順の一例を示すフローチャートである。
まず、外部の装置に対して携帯端末装置２０の放送局情報を取得するよう要求するように放送局情報取得要求を携帯端末装置２０から送出すべき旨の入力指示が有るかを判定する（Ｓｔｅｐ３０）。
【００５１】
入力指示があった場合、ルーチンはＳｔｅｐ３２ａへ進み、外部の装置に対して放送局情報の送出要求を行う。そして、外部の装置からの応答を待つ（Ｓｔｅｐ３３ａ）。外部の装置から、放送局情報送出要求の応答をうけた場合、ルーチンはＳｔｅｐ３５ａへ進み、放送局情報の送出を行う。一方、所定時間内に外部の装置からの応答がないか、あるいは放送局情報取得不可の応答を受けた場合、ルーチンはＳｔｅｐ３４ａへ進み、リトライ処理を行う。
【００５２】
一方、前記入力指示がなかった場合、ルーチンはＳｔｅｐ３１へ進み、携帯端末装置２０が外部の電源充電装置２ｊに装着されたかどうかを判定する。判定方法のひとつとして、充電供給部２ｉおよび電源充電装置２ｊの接点部分を通じて通電があるかどうかをチェックする機構を用いるとよい。携帯端末装置２０が外部の電源充電装置２ｊに装着された場合は、外部の装置に対して放送局情報の送出を要求し（Ｓｔｅｐ３２）、外部の装置からの応答を待つ。外部の装置から放送局情報送出要求の応答を受けると、ルーチンはＳｔｅｐ３５へ進み、放送局情報の送出を行った後処理を終了する。一方、所定時間内に外部装置からの応答がないか、あるいは放送局情報取得不可の応答を受けた場合、ルーチンはＳｔｅｐ３４へ進み、リトライ処理を行った後に処理を終了する。
携帯端末装置２０で番組を受信、録画あるいは再生している場合に、図８に示される前述の処理が定期的あるいは不定期に繰り返し実行される。
【００５３】
（実施の形態４）
図１３は、この発明による携帯端末装置２０が、例えば放送受信装置１０から放送局情報を取得した場合に、その放送局を選択して放送を映像化する処理を示すフローチャートである。
ここで、放送受信装置１０側は、前述の実施の形態１で説明したものと同じであり、その処理は図６のフローチャートに示されている。また、放送受信装置１０の構成は図１に示されており、放送局情報の取得は放送局取得部１０２でなされる。
【００５４】
図１３のフローチャートに示すように、放送局情報の取得がなされかどうかを判定し（Ｓｔｅｐ８０）、取得がなされた場合は、ルーチンはＳｔｅｐ８１へ進んで、取得した放送局情報から映像化する放送チャンネルの放送局を抽出する。そして、その抽出チャンネルの映像化を行い（Ｓｔｅｐ８２）、終了する。一方、放送局情報の取得がされなかった場合、何もせずに処理を終了する。
【００５５】
（実施の形態５）
図１４は、この発明による携帯端末装置２０が、例えば放送受信装置１０から放送局情報を取得した場合に、その情報に基づいて録画処理あるいは再生処理行う手順を示すフローチャートである。
ここで、放送受信装置１０側は、前述の実施の形態１で説明したものと同じであり、その処理は図６のフローチャートに示されている。また、放送受信装置１０の構成は図１に示されており、放送局情報の取得は放送局取得部１０２でなされる。
【００５６】
図１４のフローチャートに示すように、放送局情報の取得がなされかどうかを判定し（Ｓｔｅｐ９０）、取得がなされた場合は、ルーチンはＳｔｅｐ９１へ進んで、取得した放送局情報から録画・再生に関わる情報を抽出する。録画の場合は、ルーチンはＳｔｅｐ９３へ進み、録画情報（録画チャンネル、録画の開始時間・終了時間、Ｇコード等の必要に応じた情報）により録画準備（設定）を行い時間がくれば録画が開始されるように準備を整える。一方、再生の場合は、ルーチンはＳｔｅｐ９４へ進む。Ｓｔｅｐ９４で、再生対象が放送受信装置１０のデータ記憶部１Ｃに記憶されているかどうかを判定する。記憶されていなければ処理を終了する。記録されている場合、ルーチンはＳｔｅｐ９５へ進み、再生情報（チャンネル、番組名、Ｇコード、開始終了時間等）を必要に応じて活用し記憶情報の選択を行って再生を開始する。そして、このルーチンの処理を終了する。
【００５７】
（実施の形態６）
この発明の放送受信装置１０から携帯端末装置２０へ継続視聴を行う処理について、さらに詳しく説明する。実施の形態２で述べたように、携帯端末装置２０で番組を受信、録画あるいは再生していない場合、図７に示される前述の処理が定期的あるいは不定期に繰り返し実行されている。このとき、携帯端末装置２０に放送局情報の取得要求を示唆する入力があったり、前記装置が電源充電装置２ｊから切り離されたりした場合、放送受信装置１０と携帯端末装置２０との間でやり取りされる情報について説明する。
【００５８】
例えば、携帯端末装置２０が電源充電装置２ｊから切り離された場合、前述の図７のＳｔｅｐ２８に記載のように、まず、携帯端末装置２０から、放送受信装置１０へ放送局情報送出要求が送られる。外部の携帯端末装置２０から送出要求を受けた放送受信装置１０は、図６のＳｔｅｐ１０に記載のように、Ｓｔｅｐ１３へと進み、放送局情報取得要求を携帯端末装置２０へ送出する。これを受信した携帯端末装置２０では、図７のＳｔｅｐ２９での判定により、放送局情報取得処理（Ｓｔｅｐ２ｂ）を行う。即ち、実施の形態２で説明したように、放送受信装置１０に対して放送局情報取得可能を送出し、放送受信装置１０は、それに応答して放送局情報を送出する（図６のＳｔｅｐ１６）。形態端末装置２０は、放送局情報を受信する。これによって、携帯端末装置２０は、放送局情報を取得する。取得された放送局情報の内容は、ＣＰＵ部２２によって、その内容が判断される。
【００５９】
図４に示すように、放送局情報には、即時放送指示、録画指示、再生指示の情報が含まれている。例えば、取得した放送局情報の即時放送指示が有効であった場合、図１３の処理を起動する。これによって、放送局情報から放送局チャンネルが抽出され、そのチャンネルが映像化される。放送局情報の取得は図２の放送局取得部２０４でなされる。なお、放送番組は映像だけで音声を含まないものであってもよい。あるいは、音声だけで映像を含まないものであってもよく、その場合は選択さた番組の音声だけが聴取される。
【００６０】
（実施の形態７）
前述の実施の形態６と異なり、放送受信装置１０から取得した放送局情報の録画指示または再生指示が有効であった場合、図１４の処理を起動する。図１４のフローチャートに示すように、取得した放送局情報から録画・再生に関わる情報を抽出する。録画の場合は、録画情報（録画チャンネル、録画の開始時間・終了時間、Ｇコード等の必要に応じた情報）により録画準備（設定）を行い時間がくれば録画が開始されるように準備を整える。一方、再生の場合は、ルーチンは再生対象が放送受信装置１０のデータ記憶部１Ｃに記憶されているかどうかを判定する。記憶されていなければ処理を終了する。記録されている場合再生情報（チャンネル、番組名、Ｇコード、開始終了時間等）を必要に応じて活用し記憶情報の選択を行って再生を開始する。そして、このルーチンの処理を終了する。なお、放送番組は映像だけで音声を含まないものであってもよい。あるいは、音声だけで映像を含まないものであってもよく、その場合は選択さた番組の音声だけが録音あるいは再生される。
【００６１】
（実施の形態８）
この実施の形態では、上記、実施の形態１から７とは異なり、装置において種々のモードを設定した場合の実施の形態について以下に説明する。図５は、この発明による装置で使用されるモード情報のデータ構造を示す説明図である。図５（ａ）は、番組録画受付モードおよび再生受付モードのどちらもが未設定の状態を示す。装置がこの状態で放送局情報を取得した場合は、特に何も処理しない。図５（ｂ）は、番組録画受付モードが設定され、再生受付モードが未設定の状態を示す。装置がこの状態で放送局情報を取得した場合は、放送局情報の内容に適応する放送番組の録画を開始する。録画の終了判定には、取得した放送局情報および装置本体に内蔵されたタイマーを用いる。
【００６２】
また、図５（ｃ）は、番組録画受付モードが未設定で、再生受付モードが設定された状態を示す。装置がこの状態で放送局情報を取得した場合、放送局情報の内容に適応する放送番組の録画データが存在すれば、データの再生を開始する。更にまた、図５（ｄ）は番組録画受付モードおよび再生受付モードが設定された状態である。装置がこの状態で放送局情報を取得した場合、放送局情報の内容に適応する放送番組の録画を開始する。既に録画データが存在すれば、データの再生を開始する。放送の録画中に録画済みデータの再生を行うことは可能であるとする。
【００６３】
図９は、モード設定を用いて放送受信装置１０の処理を行う場合の一例を示すフローチャートである。この処理の流れは、放送受信装置１０および携帯端末装置２０のいずれにおいても適応可能である。
まず、装置が現在録画中であるかを判定する（Ｓｔｅｐ４１）。録画中の場合、ルーチンはＳｔｅｐ４２へ進み、録画終了の指示の有無を判定する。録画終了の指示がある場合には録画を終了し（Ｓｔｅｐ４３）、Ｓｔｅｐ４４へ進む。そうでない時は処理を終了する。前記Ｓｔｅｐ４１の判定で、録画中でない場合、ルーチンはＳｔｅｐ４４へ進む。Ｓｔｅｐ４４では、装置を放送番組受付モードに設定する。
【００６４】
続いて、外部の装置からの放送局情報取得の有無を判定する（Ｓｔｅｐ４５）。放送局情報の取得があった場合は、ルーチンはＳｔｅｐ４６へ進み、録画を開始する。一方、放送局情報取得がなかった場合、ルーチンはＳｔｅｐ４７へ進み、番組録画受付モード解除の指示の有無を判定する。解除の指示があった場合、ルーチンはＳｔｅｐ４８へ進み、前記モードを解除する。解除の指示が無ければ、ルーチンはＳｔｅｐ４５へ進み、放送局情報の取得を待つ。
【００６５】
上記は、放送局情報を取得して録画を行う一実施の形態であるが、放送番組受付モードに設定される仕組みは、予め定められたものである。放送番組受付モードは、放送番組の録画が可能な状態のひとつである。
また、放送局情報を受信したら録画を終了する指示を強制的に出すか、出さないかの指定を外部から切り替えることもできる。この場合、その指定は外部スイッチ・キーからの指定または、外部からの制御信号により設定できる。強制録画が指定されている場合も、放送番組の録画が可能な状態のひとつといえる。
【００６６】
図１０は、モード設定を用いた場合の、録画に関する処理の手順を示すフローチャートである。図１０のフローチャートは、携帯端末装置２０と放送受信装置１０いずれにおいても適用可能である。まず、装置が現在録画中であるかを判定する（Ｓｔｅｐ５１）。録画中の場合、ルーチンはＳｔｅｐ５２へ進み、録画終了の指示の有無を判定する。録画終了の指示がある場合、ルーチンはＳｔｅｐ５３へ進み、録画を終了した後に、Ｓｔｅｐ５４へ進む。一方、Ｓｔｅｐ５１の判定で、録画中でない場合、ルーチンはＳｔｅｐ５４へ進む。そして、装置を放送番組受付モードに設定する。
【００６７】
以下、Ｓｔｅｐ５５〜Ｓｔｅｐ５８に示す処理は図９のＳｔｅｐ４５〜Ｓｔｅｐ４８と同様である。一方、Ｓｔｅｐ５２にて録画終了の指示がない場合、ルーチンはＳｔｅｐ５９にて録画終了時刻であるかを判定する。この判定は、タイマー１ａもしくは２ａ、ＲＡＭ１ｂもしくは２ｂおよび現在保持している放送局情報（番組開始／終了時刻）を用いて行うものとする。番組終了時刻の場合、ルーチンはＳｔｅｐ５３へ進み、録画を終了する。一方、番組終了時刻でない場合、ルーチンはＳｔｅｐ５ａへ進み、データ記憶部１ｃもしくは２ｃの記憶容量が不足していないかどうかを判定する。データ記憶部１ｃもしくは２ｃの記憶容量が不足している場合、ルーチンはＳｔｅｐ５ｂへ進み、録画を終了する。一方、記憶容量が不足していなければ、ルーチンはＳｔｅｐ５２へ進む。
【００６８】
前述の処理は、放送局情報を取得して録画を行う一実施の形態である。放送番組受付モードに設定される仕組みは、予め定められたものであり、放送番組の録画が可能な状態のひとつである。更に、放送局情報の受信を受けたら録画を終了する指示を強制的に出すか、出さないかの指定を外部から切り替える方式も取れる。この指示は、外部スイッチ・キーからの指定または、外部からの制御信号により設定でる。強制録画が指定されている場合も、放送番組の録画が可能な状態のひとつといえる。
【００６９】
図１１は、モード設定を用いた場合の、再生に関する処理の手順を示すフローチャートである。図１１のフローチャートは携帯端末装置２０と放送受信装置１０のいずれにおいても適用可能である。まず、装置が現在再生中であるかを判定する（Ｓｔｅｐ６１）。再生中の場合、ルーチンはＳｔｅｐ６２へ進み、再生終了の指示の有無を判定する。再生終了の指示がある場合は、ルーチンはＳｔｅｐ６３へ進み、再生を終了する。一方、Ｓｔｅｐ６１の判定において、再生中でない場合、ルーチンはＳｔｅｐ６４へ進み、装置を再生受付モードに設定した後、他の装置からの放送局情報取得の有無を判定する（Ｓｔｅｐ６５）。
【００７０】
放送局情報の取得があった場合、ルーチンはＳｔｅｐ６６へ進み、放送局情報に適応される記録済みデータの有無を判定する。データが存在する場合は、ルーチンはＳｔｅｐ６７へ進み、データの再生を行う。一方、データが存在しない場合、もしくは放送局情報の取得がない場合、ルーチンはＳｔｅｐ６８へ進み、再生受付モード解除の指示の有無を判定する。解除の指示があった場合、ルーチンはＳｔｅｐ６９へ進み、前記モードを解除する。解除の指示が無ければ、ルーチンはＳｔｅｐ６５へ進む。
図５に示したとおり、装置のモード情報は４通りが考えられるので、ここでは、図９〜１０の番組録画受付モードと図１１の再生受付モードの混在を許すものとしている。
【００７１】
図１２は、モード設定を用いた場合の、送出と録画受付に関する処理の手順を示すフローチャートである。図１２のフローチャートは、携帯端末装置と放送受信装置いずれにおいても適用可能である。まず、他の装置に対する放送局情報送出もしくはリトライを行う（Ｓｔｅｐ７１〜７３）。放送局情報の送出が可能かどうかを判定し、可能な場合、ルーチンはＳｔｅｐ７４へ進み、番組録画受付モードになっている装置を確認する。番組録画受付モードになっている装置が送出先のみの場合、ルーチンはＳｔｅｐ７５へ進み、放送局情報を送出する。一方、送出元のみの場合、ルーチンはＳｔｅｐ７９へ進み、装置本体において録画を開始する。
【００７２】
あるいは、その両方の場合、ルーチンはＳｔｅｐ７６へ進み、ユーザが録画する装置の選択を行う。そして、録画する装置が送出先のみか、送出元のみかを判断する（Ｓｔｅｐ７７）。録画を行う装置が送出先のみの場合、ルーチンはＳｔｅｐ７５へ進み、放送局情報を送出する。一方、送出元のみの場合、ルーチンはＳｔｅｐ７９へ進み、装置本体において録画を開始する。あるいは、両方の場合、ルーチンはＳｔｅｐ７８へ進み、放送局情報を送出した後に装置本体において録画を開始する（Ｓｔｅｐ７９）。
【００７３】
（実施の形態９）
図１６は、この発明の放送受信装置１０において、外部の装置から放送局情報を取得する処理手順の一例を示すフローチャートである。
まず、外部の装置から放送局情報の取得要求があるかどうかを判定する（Ｓｔｅｐ１０１）。取得要求がなければ何も処理をせずにルーチンは終了する。一方、取得要求があった場合、放送受信装置１０が放送局情報を取得可能な状態かどうかを判断する（Ｓｔｅｐ１０２）。取得が不可能な場合、ルーチンはＳｔｅｐ１０４へ進み、取得不可を送出して処理を終了する。一方、取得可能な場合、ルーチンはＳｔｅｐ１０３へ進み、放送局情報取得可能を送出する。そして、外部の装置から放送局情報を受信するのを待つ（Ｓｔｅｐ１０５）。
【００７４】
放送局情報を受信した場合、ルーチンはＳｔｅｐ１０７へ進み、放送局情報取得完了を送出して処理を終了する。一方、放送局情報の受信を待っている間にタイムアウトが発生した場合（Ｓｔｅｐ１０６）は、処理を終了する。この場合、外部の装置へ放送局情報取得完了を送出していないので、外部の装置は所定時間後、再び放送局情報の取得要求をおこない、前述のＳｔｅｐ１０１からの処理が繰り返される。
放送受信装置１０では、図１６に示される前述の処理が定期的あるいは不定期に繰り返し実行される。
【００７５】
（実施の形態１０）
図１７は、この発明による携帯端末装置２０において、外部の装置へ放送局情報を送出する処理手順の一例を示すフローチャートである。
まず、携帯端末装置側から放送局情報を送出する必要があるかどうかを判定する（Ｓｔｅｐ１１１）。送出の必要がなければ、何もせずに処理を終了する。一方、送出の場合、外部の装置へ放送局情報取得要求を送出し（Ｓｔｅｐ１１２）外部の装置からの応答を待つ（Ｓｔｅｐ１１３）。外部の装置から、放送局情報が取得可能であるとの応答を受けた場合、ルーチンはＳｔｅｐ１１４へ進み、放送局情報を送出した（Ｓｔｅｐ１１４）後、外部装置からの取得完了の応答を待つ（Ｓｔｅｐ１１８）。一方、Ｓｔｅｐ１１３の応答待ちで取得不可を受信したか、あるいはタイムアウトが発生した場合（Ｓｔｅｐ１１５）、ルーチンはＳｔｅｐ１１６へ進み、リトライ処理を実行するかどうかの判断を行う。リトライは所定の回数に制限されているからである。リトライを実行しない場合、ルーチンは以降の処理を行わずに終了する。一方、リトライを実行する場合、所定時間の遅延（Ｓｔｅｐ１１７）後、ルーチンはＳｔｅｐ１１２へ進み、放送局情報取得要求を再度送出する。
【００７６】
前述のように、放送局情報後の応答待ちで、外部の装置から取得完了を受信した場合、通信は正常終了する。一方、取得完了の受信待ち状態でタイムアウトが発生した場合（Ｓｔｅｐ１１９）は、リトライ処理を行うかどうかの判定を行い、必要な場合はＳｔｅｐ１２０〜１２１でリトライ処理を行う。これらの処理は前述のＳｔｅｐ１１６〜１１７の処理と同様である。
携帯端末装置２０で番組を受信、録画あるいは再生している場合に、図７に示される前述の処理が定期的あるいは不定期に繰り返し実行される。
【００７７】
なお、図６〜１２に示すフローチャートにおいて、処理がループする箇所があるが、他の処理を必要とする場合は、インターラプトによって処理を行ったり、実際のソフトウェアはポーリング処理を行うように作成したりできる。これらは、装置が処理すべき内容に応じて設計的に選択されるものであり、この実施例に説明されていなくても当業者に明らかである。
【図面の簡単な説明】
【００７８】
【図１】この発明の放送受信装置の構成を示すブロック図である。
【図２】この発明の携帯端末装置の構成を示すブロック図である。
【図３】この発明の放送受信装置および携帯端末装置を組合せて用いる形態を示す説明図である。
【図４】この発明に係る放送局情報のデータ構造を示す説明図である。
【図５】この発明に係るモード情報のデータ構造を示す説明図である。
【図６】この発明の放送受信装置の処理を示すフローチャートである。（実施の形態１）
【図７】この発明の携帯端末装置の処理を示すフローチャートである。（実施の形態２）
【図８】この発明の携帯端末装置の異なる処理を示すフローチャートである。（実施の形態３）
【図９】この発明の放送受信装置のモードを用いた処理を示すフローチャートである。（実施の形態８）
【図１０】この発明の装置において、モードによる録画処理を示すフローチャートである。（実施の形態８）
【図１１】この発明の装置において、モードによる再生処理を示すフローチャートである。（実施の形態８）
【図１２】この発明の装置において、モードによる再生と録画受付に関する処理を示すフローチャートである。
【図１３】この発明の装置において、放送局情報取得と映像化の処理を示すフローチャートである。
【図１４】この発明の装置において、放送局情報取得と録画・再生の処理を示すフローチャートである。
【図１５】この発明の放送受信装置と携帯端末装置との間で放送情報を送受す通信の一例を示す説明図である。
【図１６】この発明の放送受信装置において、外部の装置から放送局情報を取得する処理手順の一例を示すフローチャートである。
【図１７】この発明による携帯端末装置において、外部の装置へ放送局情報を送出する処理手順の一例を示すフローチャートである。
【符号の説明】
【００７９】
１０    放送受信装置
１１    放送受信部
１２    放送局情報生成部
１３    録画／再生部
１３ａ    録画部
１３ｂ    再生部
１４    オーディオ出力部
１５    スピーカー
１６    映像出力部
１７    モニター
１８    チャンネル切替ボタン
１９    ＣＰＵ部
１ａ    タイマー
１ｂ    ＲＡＭ
１ｃ    データ記憶部
１ｄ    リモコン送受信部
１ｅ    アンテナ
１ｆ    ネットワーク
１０１    放送局情報送受信処理部
１０２    放送局情報取得部
１０３    放送局情報送出部
１０４    放送局情報送出要求受信部
１０５    放送局情報取得要求受信部
１０６    電源切断検知部
１０７    放送局情報送出要求部
１０８    放送局情報取得要求部
２０    携帯端末装置
２１    放送受信部
２２    放送局情報生成部
２３    録画／再生部
２３ａ    録画部
２３ｂ    再生部
２４    オーディオ出力部
２５    スピーカー
２６    映像出力部
２７    モニター
２８    入力ボタン
２９    ＣＰＵ部
２ａ    タイマー
２ｂ    ＲＡＭ
２ｃ    データ記憶部
２ｄ    リモコン送受信部
２ｅ    アンテナ（放送用）
２ｆ    アンテナ（通信通話用）
２ｇ    通信通話処理部
２ｈ    マイク
２ｉ    充電供給部
２ｊ    電源充電装置
２０１    放送局情報送出要求部
２０２    放送局情報取得要求部
２０３    放送局情報送出部
２０４    放送局情報取得部
２０５    取外し検知部
２０６    装着検知部
２０７    放送局情報送出要求受信部
２０８    放送局情報取得要求受信部
【図１】
2005260848.tif 000003
【図２】
2005260848.tif 000004
【図３】
2005260848.tif 000005
【図４】
2005260848.tif 000006
【図５】
2005260848.tif 000007
【図６】
2005260848.tif 000008
【図７】
2005260848.tif 000009
【図８】
2005260848.tif 000010
【図９】
2005260848.tif 000011
【図１０】
2005260848.tif 000012
【図１１】
2005260848.tif 000013
【図１２】
2005260848.tif 000014
【図１３】
2005260848.tif 000015
【図１４】
2005260848.tif 000016
【図１５】
2005260848.tif 000017
【図１６】
2005260848.tif 000018
【図１７】
2005260848.tif 000019